(57)【要約】      （修正有）【課題】温度が比較的に低い水を飲もうとする時、お湯を快速に冷却することができるコップを提供する。【解決手段】保温部２１及び冷却部２５を含み、前記冷却部の中には加水チャンバ２６が設置され、保温部の中には保温チャンバ２０が設置され、加水チャンバと前記保温チャンバとの間が加水管１９により連通しており、使用する時にお湯を前記加水チャンバにより前記保温チャンバの中に入れて保温を行う。冷却部の中には冷却チャンバ１３が設置され、モータ２４には動力軸２３によりファン２２が連結され、押出板５１が上昇する時、水が活動板を上へ押圧し、逆止弁の上側まで押圧した時、水が前記逆止弁を通して前記冷却管１４の中に入り込み、モータが起動してファンを回転させて風を吹かせ、水を快速に冷却する。【選択図】図１
2020157026.tif 000002
【特許請求の範囲】
【請求項１】
保温部及び冷却部を含み、前記冷却部の中には加水チャンバが設置され、前記保温部の中には保温チャンバが設置され、前記加水チャンバと前記保温チャンバとの間が加水管により連通しており、使用する時にお湯を前記加水チャンバにより前記保温チャンバの中に入れて保温を行い、前記保温部の中にはリードスクリューが回転できるように設置され、前記保温チャンバの内壁の間には押出板がスライドできるように設置され、前記押出板が前記リードスクリューとネジ山により係合され、前記リードスクリューが回転して前記押出板を連動させて上昇させる時に前記保温チャンバの中の水を押し、前記冷却部の中には冷却チャンバが設置され、前記冷却チャンバの中には連結箱が設置され、前記連結箱の中には前記保温チャンバに連通している連結チャンバが設置され、前記連結チャンバの内壁にはスライドレールが設置され、前記スライドレールの中には活動板がスライドできるように設置され、前記活動板と前記スライドレールの頂壁との間にはばねが連結され、前記連結チャンバの頂壁には一方向吸気弁が設置され、前記連結チャンバの後壁には逆止弁が設置され、前記冷却チャンバの中には前記逆止弁と連通している冷却管が設置され、前記冷却チャンバの内壁にはモータが設置され、前記モータには動力軸によりファンが連結され、前記押出板が上昇する時、水が活動板を上へ押圧し、前記逆止弁の上側まで押圧した時、水が前記逆止弁を通して前記冷却管の中に入り込み、前記モータが起動して前記ファンを回転させて風を吹かせ、水を快速に冷却することを特徴とする多目的コップ。
【請求項２】
前記冷却チャンバの内壁には複数組の通気孔が設置され、前記冷却部の中には空きチャンバが設置され、前記空きチャンバの中には水通し管が設置され、前記水通し管の中には前記冷却管に連通している水通しチャンバが設置され、前記水通しチャンバの内壁にはガイド溝が設置され、前記ガイド溝の中にはガイドブロックがスライドできるように設置され、前記ガイドブロックと前記ガイド溝の右壁との間には復帰ばねが連結され、前記水通しチャンバの中には前記ガイドブロックと連結されるストローがスライドできるように設置され、前記冷却部の右端面には収納溝が設置され、前記ストローの右端が前記収納溝の中に伸びており、使用する時に需要に応じて前記ストローを適合の長さまで引くことができることを特徴とする請求項１に記載の多目的コップ。
【請求項３】
前記保温部の外周面には外スライド溝が設置され、前記外スライド溝の中には旋転リングがスライドできるように設置され、前記旋転リングの下端面には連結リングが連結され、前記連結リングの下端には連結板が連結され、前記リードスクリューの下端が前記保温チャンバの下側に伸びており、且つ前記リードスクリューの下端が前記連結板の上端面と固定的に連結され、前記リードスクリューと前記連結板との間には捻りばねが連結され、前記保温部には前記外スライド溝に連通している制御溝が設置され、前記制御溝の内壁にはスライド溝が設置され、前記スライド溝の中にはスライドリングがスライドできるように設置され、前記スライドリングと前記スライド溝の頂壁との間には押圧ばねが連結され、前記スライドリングの片側端面には制御ブロックが連結され、前記制御ブロックの下端面には上歯が設置され、前記旋転リングの上端面には前記上歯と当接している下歯が設置され、前記旋転リングを回転させて前記押出板を上昇させた後、前記上歯と前記下歯とが当接して前記旋転リングに位置を保持させ、復帰する時に、前記制御ブロックを上へ持ち上げ、前記押出板が前記捻りばねの作用のもとで復帰することを特徴とする請求項１に記載の多目的コップ。
【請求項４】
前記冷却部の外周面の上側にはネジ山が設置され、前記ネジ山には蓋がネジ山により係合されることを特徴とする請求項１に記載の多目的コップ。
【発明の詳細な説明】
【技術分野】
【０００１】
本発明はコップ分野を取り上げて、具体的には多目的コップである。
【背景技術】
【０００２】
日常生活や仕事をする時には、一般的に魔法瓶を使って水を携帯し、同時に水の保温を行い、しかし、魔法瓶を使って水を飲む時、水温が高すぎるため、いつも魔法瓶にある水を他のコップの中に入れて冷却してから飲むことができ、待つ時間が長く、不便であり、上記の欠点について、本装置を提出した。
【先行技術文献】
【特許文献】
【０００３】
【特許文献１】中国特許出願公開第１０７３４３７２９号明細書
【発明の概要】
【発明が解決しようとする課題】
【０００４】
上記の技術の不足について、本発明は多目的コップを提供し、上記欠点を解消することを目的とする。
【課題を解決するための手段】
【０００５】
本発明の多目的コップは、保温部及び冷却部を含み、前記冷却部の中には加水チャンバが設置され、前記保温部の中には保温チャンバが設置され、前記加水チャンバと前記保温チャンバとの間が加水管により連通しており、使用する時にお湯を前記加水チャンバにより前記保温チャンバの中に入れて保温を行い、前記保温部の中にはリードスクリューが回転できるように設置され、前記保温チャンバの内壁の間には押出板がスライドできるように設置され、前記押出板が前記リードスクリューとネジ山により係合され、前記リードスクリューが回転して前記押出板を連動させて上昇させる時に前記保温チャンバの中の水を押し、前記冷却部の中には冷却チャンバが設置され、前記冷却チャンバの中には連結箱が設置され、前記連結箱の中には前記保温チャンバに連通している連結チャンバが設置され、前記連結チャンバの内壁にはスライドレールが設置され、前記スライドレールの中には活動板がスライドできるように設置され、前記活動板と前記スライドレールの頂壁との間にはばねが連結され、前記連結チャンバの頂壁には一方向吸気弁が設置され、前記連結チャンバの後壁には逆止弁が設置され、前記冷却チャンバの中には前記逆止弁と連通している冷却管が設置され、前記冷却チャンバの内壁にはモータが設置され、前記モータには動力軸によりファンが連結され、前記押出板が上昇する時、水が活動板を上へ押圧し、前記逆止弁の上側まで押圧した時、水が前記逆止弁を通して前記冷却管の中に入り込み、前記モータが起動して前記ファンを回転させて風を吹かせ、水を快速に冷却する。
【０００６】
好ましくは、前記冷却チャンバの内壁には複数組の通気孔が設置され、前記冷却部の中には空きチャンバが設置され、前記空きチャンバの中には水通し管が設置され、前記水通し管の中には前記冷却管に連通している水通しチャンバが設置され、前記水通しチャンバの内壁にはガイド溝が設置され、前記ガイド溝の中にはガイドブロックがスライドできるように設置され、前記ガイドブロックと前記ガイド溝の右壁との間には復帰ばねが連結され、前記水通しチャンバの中には前記ガイドブロックと連結されるストローがスライドできるように設置され、前記冷却部の右端面には収納溝が設置され、前記ストローの右端が前記収納溝の中に伸びており、使用する時に需要に応じて前記ストローを適合の長さまで引くことができる。
【０００７】
好ましくは、前記保温部の外周面には外スライド溝が設置され、前記外スライド溝の中には旋転リングがスライドできるように設置され、前記旋転リングの下端面には連結リングが連結され、前記連結リングの下端には連結板が連結され、前記リードスクリューの下端が前記保温チャンバの下側に伸びており、且つ前記リードスクリューの下端が前記連結板の上端面と固定的に連結され、前記リードスクリューと前記連結板との間には捻りばねが連結され、前記保温部には前記外スライド溝に連通している制御溝が設置され、前記制御溝の内壁にはスライド溝が設置され、前記スライド溝の中にはスライドリングがスライドできるように設置され、前記スライドリングと前記スライド溝の頂壁との間には押圧ばねが連結され、前記スライドリングの片側端面には制御ブロックが連結され、前記制御ブロックの下端面には上歯が設置され、前記旋転リングの上端面には前記上歯と当接している下歯が設置され、前記旋転リングを回転させて前記押出板を上昇させた後、前記上歯と前記下歯とが当接して前記旋転リングに位置を保持させ、復帰する時に、前記制御ブロックを上へ持ち上げ、前記押出板が前記捻りばねの作用のもとで復帰する。
【０００８】
好ましくは、前記冷却部の外周面の上側にはネジ山が設置され、前記ネジ山には蓋がネジ山により係合される。
【発明の効果】
【０００９】
以上により、本発明は構成が簡単で、使用が便利で、温度が比較的に低い水を飲もうとする時、本発明の中の指定位置を回転させればお湯を快速に冷却することができ、飲める温度に達し、魔法瓶を使って水を飲む時の待つ時間を大幅に減少し、コップの実用性を高める。
【図面の簡単な説明】
【００１０】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１１】
【図１】図１は本発明の多目的コップの全体構成模式図である；
【図２】図２は図１の中のＡ−Ａの構成模式図である；
【図３】図３は図１の中のＢの構成模式図である；
【図４】図４は図１の中のＣの構成模式図である；
【図５】図５は図１の中のＤの構成模式図である。
【発明を実施するための形態】
【００１２】
以下は付図説明と実施例を交えて本発明について更に説明し、本発明の方式は以下の実施例を含むが、これのみに限定されるものではない。    
【００１３】
図１〜５が示すように、本発明装置の多目的コップは、保温部２１及び冷却部２５を含み、前記冷却部２５の中には加水チャンバ２６が設置され、前記保温部２１の中には保温チャンバ２０が設置され、前記加水チャンバ２６と前記保温チャンバ２０との間が加水管１９により連通しており、使用する時にお湯を前記加水チャンバ２６により前記保温チャンバ２０の中に入れて保温を行い、前記保温部２１の中にはリードスクリュー１８が回転できるように設置され、前記保温チャンバ２０の内壁の間には押出板５１がスライドできるように設置され、前記押出板５１が前記リードスクリュー１８とネジ山により係合され、前記リードスクリュー１８が回転して前記押出板５１を連動させて上昇させる時に前記保温チャンバ２０の中の水を押し、前記冷却部２５の中には冷却チャンバ１３が設置され、前記冷却チャンバ１３の中には連結箱４８が設置され、前記連結箱４８の中には前記保温チャンバ２０に連通している連結チャンバ５０が設置され、前記連結チャンバ５０の内壁にはスライドレール４６が設置され、前記スライドレール４６の中には活動板４４がスライドできるように設置され、前記活動板４４と前記スライドレール４６の頂壁との間にはばね４５が連結され、前記連結チャンバ５０の頂壁には一方向吸気弁４９が設置され、前記連結チャンバ５０の後壁には逆止弁４７が設置され、前記冷却チャンバ１３の中には前記逆止弁４７と連通している冷却管１４が設置され、前記冷却チャンバ１３の内壁にはモータ２４が設置され、前記モータ２４には動力軸２３によりファン２２が連結され、前記押出板５１が上昇する時、水が活動板４４を上へ押圧し、前記逆止弁４７の上側まで押圧した時、水が前記逆止弁４７を通して前記冷却管１４の中に入り込み、前記モータ２４が起動して前記ファン２２を回転させて風を吹かせ、水を快速に冷却する。
【００１４】
有益的には、前記冷却チャンバ１３の内壁には複数組の通気孔１２が設置され、前記冷却部２５の中には空きチャンバ３８が設置され、前記空きチャンバ３８の中には水通し管３６が設置され、前記水通し管３６の中には前記冷却管１４に連通している水通しチャンバ３７が設置され、前記水通しチャンバ３７の内壁にはガイド溝４０が設置され、前記ガイド溝４０の中にはガイドブロック３９がスライドできるように設置され、前記ガイドブロック３９と前記ガイド溝４０の右壁との間には復帰ばね４１が連結され、前記水通しチャンバ３７の中には前記ガイドブロック３９と連結されるストロー４３がスライドできるように設置され、前記冷却部２５の右端面には収納溝４２が設置され、前記ストロー４３の右端が前記収納溝４２の中に伸びており、使用する時に需要に応じて前記ストロー４３を適合の長さまで引くことができる。
【００１５】
有益的には、前記保温部２１の外周面には外スライド溝５２が設置され、前記外スライド溝５２の中には旋転リング１５がスライドできるように設置され、前記旋転リング１５の下端面には連結リング５３が連結され、前記連結リング５３の下端には連結板１６が連結され、前記リードスクリュー１８の下端が前記保温チャンバ２０の下側に伸びており、且つ前記リードスクリュー１８の下端が前記連結板１６の上端面と固定的に連結され、前記リードスクリュー１８と前記連結板１６との間には捻りばね１７が連結され、前記保温部２１には前記外スライド溝５２に連通している制御溝２７が設置され、前記制御溝２７の内壁にはスライド溝３４が設置され、前記スライド溝３４の中にはスライドリング３３がスライドできるように設置され、前記スライドリング３３と前記スライド溝３４の頂壁との間には押圧ばね３５が連結され、前記スライドリング３３の片側端面には制御ブロック２８が連結され、前記制御ブロック２８の下端面には上歯３０が設置され、前記旋転リング１５の上端面には前記上歯３０と当接している下歯３２が設置され、前記旋転リング１５を回転させて前記押出板５１を上昇させた後、前記上歯３０と前記下歯３２とが当接して前記旋転リング１５に位置を保持させ、復帰する時に、前記制御ブロック２８を上へ持ち上げ、前記押出板５１が前記捻りばね１７の作用のもとで復帰する。
【００１６】
有益的には、前記冷却部２５の外周面の上側にはネジ山１１が設置され、前記ネジ山１１には蓋１０がネジ山により係合される。
【００１７】
前記多目的コップの実現方法は、以下のステップを含む：
【００１８】
使用する時、お湯を加水チャンバ２６の中に加え、水が加水管１９により保温チャンバ２０の中に入って保温を行い、水を飲もうとする時、旋転リング１５を握って回転させ、旋転リング１５が連結リング５３と連結板１６によりリードスクリュー１８を連動させて回転させ、リードスクリュー１８が回転して押出板５１を上昇させ、押出板５１が上昇して水により活動板４４を上へ押し、活動板４４が逆止弁４７の上側まで運動した時、水が逆止弁４７を通して冷却管１４の中に入り込み、モータ２４が起動して動力軸２３によりファン２２を連動させて回転させて風を吹かせ、冷却管１４の中の水を快速に冷却し、この時、ストロー４３を需要に応じて適合の長さまで引いて水を飲むことができ、空気が一方向吸気弁４９と逆止弁４７を通して冷却管１４の中に入って気圧を保持し、活動板４４がばね４５の作用のもとで復帰する；
【００１９】
押出板５１が一番上側に運動した時、保温チャンバ２０の中の水量が足りなく、この時に制御ブロック２８を上へスライドさせ、上歯３０を連動させて下歯３２から離脱させ、捻りばね１７の復帰作用のもとでリードスクリュー１８が回転して押出板５１を復帰させ、この時、蓋１０を外したら水を入れることができる。
【００２０】
以上により、本発明は構成が簡単で、使用が便利で、温度が比較的に低い水を飲もうとする時、本発明の中の指定位置を回転させればお湯を快速に冷却することができ、飲める温度に達し、魔法瓶を使って水を飲む時の待つ時間を大幅に減少し、コップの実用性を高める。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020157026.tif 000003
【図２】
2020157026.tif 000004
【図３】
2020157026.tif 000005
【図４】
2020157026.tif 000006
【図５】
2020157026.tif 000007
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
保温部及び冷却部を含み、前記冷却部の中には加水チャンバが設置され、前記保温部の中には保温チャンバが設置され、前記加水チャンバと前記保温チャンバとの間が加水管により連通しており、使用する時にお湯を前記加水チャンバにより前記保温チャンバの中に入れて保温を行い、前記保温部の中にはリードスクリューが回転できるように設置され、前記保温チャンバの内壁の間には押出板がスライドできるように設置され、前記押出板が前記リードスクリューとネジ山により係合され、前記リードスクリューが回転して前記押出板を連動させて上昇させる時に前記保温チャンバの中の前記お湯を押し、前記冷却部の中には冷却チャンバが設置され、前記冷却チャンバの中には連結箱が設置され、前記連結箱の中には前記保温チャンバに連通している連結チャンバが設置され、前記連結チャンバの内壁にはスライドレールが設置され、前記スライドレールの中には活動板がスライドできるように設置され、前記活動板と前記スライドレールの頂壁との間にはばねが連結され、前記連結チャンバの頂壁には一方向吸気弁が設置され、前記連結チャンバの後壁には逆止弁が設置され、前記冷却チャンバの中には前記逆止弁と連通している冷却管が設置され、前記冷却チャンバの内壁にはモータが設置され、前記モータには動力軸によりファンが連結され、前記押出板が上昇する時、前記お湯が活動板を上へ押圧し、前記逆止弁の上側まで押圧した時、前記お湯が前記逆止弁を通して前記冷却管の中に入り込み、前記モータが起動して前記ファンを回転させて風を吹かせ、前記お湯を快速に冷却することを特徴とする多目的コップ。
【請求項２】
前記冷却チャンバの内壁には複数組の通気孔が設置され、前記冷却部の中には空きチャンバが設置され、前記空きチャンバの中には水通し管が設置され、前記水通し管の中には前記冷却管に連通している水通しチャンバが設置され、前記水通しチャンバの内壁にはガイド溝が設置され、前記ガイド溝の中にはガイドブロックがスライドできるように設置され、前記ガイドブロックと前記ガイド溝の右壁との間には復帰ばねが連結され、前記水通しチャンバの中には前記ガイドブロックと連結されるストローがスライドできるように設置され、前記冷却部の右端面には収納溝が設置され、前記ストローの右端が前記収納溝の中に伸びており、使用する時に需要に応じて前記ストローを適合の長さまで引くことができることを特徴とする請求項１に記載の多目的コップ。
【請求項３】
前記保温部の外周面には外スライド溝が設置され、前記外スライド溝の中には旋転リングがスライドできるように設置され、前記旋転リングの下端面には連結リングが連結され、前記連結リングの下端には連結板が連結され、前記リードスクリューの下端が前記保温チャンバの下側に伸びており、且つ前記リードスクリューの下端が前記連結板の上端面と固定的に連結され、前記リードスクリューと前記連結板との間には捻りばねが連結され、前記保温部には前記外スライド溝に連通している制御溝が設置され、前記制御溝の内壁にはスライド溝が設置され、前記スライド溝の中にはスライドリングが上下にスライドできるように設置され、前記スライドリングの上側端面と前記スライド溝の上側内壁との間には押圧ばねが連結され、前記スライドリングの片側端面には前記制御溝の中でスライドできる制御ブロックが連結され、前記制御ブロックの下側端面には上歯が設置され、前記旋転リングの上側端面には前記上歯と当接している下歯が設置され、前記旋転リングを握って回転させ、前記押出板を押し動かして上昇させた後、前記上歯と前記下歯とが当接して前記旋転リングに位置を保持させ、復帰する時に、前記制御ブロックを上へ持ち上げ、前記押出板が前記捻りばねの作用のもとで復帰することを特徴とする請求項１に記載の多目的コップ。
【請求項４】
前記冷却部の外周面の上側にはネジ山が設置され、前記ネジ山には蓋がネジ山により係合されることを特徴とする請求項１に記載の多目的コップ。
【手続補正２】
【補正対象書類名】明細書
【補正対象項目名】全文
【補正方法】変更
【補正の内容】
【発明の詳細な説明】
【技術分野】
【０００１】
本発明はコップ分野を取り上げて、具体的には多目的コップである。
【背景技術】
【０００２】
日常生活や仕事をする時には、一般的に魔法瓶を使って水を携帯し、同時に水の保温を行い、しかし、魔法瓶を使って水を飲む時、水温が高すぎるため、いつも魔法瓶にある水を他のコップの中に入れて冷却してから飲むことができ、待つ時間が長く、不便であり、上記の欠点について、本装置を提出した。
【先行技術文献】
【特許文献】
【０００３】
【特許文献１】中国特許出願公開第１０７３４３７２９号明細書
【発明の概要】
【発明が解決しようとする課題】
【０００４】
上記の技術の不足について、本発明は多目的コップを提供し、上記欠点を解消することを目的とする。
【課題を解決するための手段】
【０００５】
本発明の多目的コップは、保温部及び冷却部を含み、前記冷却部の中には加水チャンバが設置され、前記保温部の中には保温チャンバが設置され、前記加水チャンバと前記保温チャンバとの間が加水管により連通しており、使用する時にお湯を前記加水チャンバにより前記保温チャンバの中に入れて保温を行い、前記保温部の中にはリードスクリューが回転できるように設置され、前記保温チャンバの内壁の間には押出板がスライドできるように設置され、前記押出板が前記リードスクリューとネジ山により係合され、前記リードスクリューが回転して前記押出板を連動させて上昇させる時に前記保温チャンバの中の前記お湯を押し、前記冷却部の中には冷却チャンバが設置され、前記冷却チャンバの中には連結箱が設置され、前記連結箱の中には前記保温チャンバに連通している連結チャンバが設置され、前記連結チャンバの内壁にはスライドレールが設置され、前記スライドレールの中には活動板がスライドできるように設置され、前記活動板と前記スライドレールの頂壁との間にはばねが連結され、前記連結チャンバの頂壁には一方向吸気弁が設置され、前記連結チャンバの後壁には逆止弁が設置され、前記冷却チャンバの中には前記逆止弁と連通している冷却管が設置され、前記冷却チャンバの内壁にはモータが設置され、前記モータには動力軸によりファンが連結され、前記押出板が上昇する時、前記お湯が活動板を上へ押圧し、前記逆止弁の上側まで押圧した時、前記お湯が前記逆止弁を通して前記冷却管の中に入り込み、前記モータが起動して前記ファンを回転させて風を吹かせ、前記お湯を快速に冷却する。
【０００６】
好ましくは、前記冷却チャンバの内壁には複数組の通気孔が設置され、前記冷却部の中には空きチャンバが設置され、前記空きチャンバの中には水通し管が設置され、前記水通し管の中には前記冷却管に連通している水通しチャンバが設置され、前記水通しチャンバの内壁にはガイド溝が設置され、前記ガイド溝の中にはガイドブロックがスライドできるように設置され、前記ガイドブロックと前記ガイド溝の右壁との間には復帰ばねが連結され、前記水通しチャンバの中には前記ガイドブロックと連結されるストローがスライドできるように設置され、前記冷却部の右端面には収納溝が設置され、前記ストローの右端が前記収納溝の中に伸びており、使用する時に需要に応じて前記ストローを適合の長さまで引くことができる。
【０００７】
好ましくは、前記保温部の外周面には外スライド溝が設置され、前記外スライド溝の中には旋転リングがスライドできるように設置され、前記旋転リングの下端面には連結リングが連結され、前記連結リングの下端には連結板が連結され、前記リードスクリューの下端が前記保温チャンバの下側に伸びており、且つ前記リードスクリューの下端が前記連結板の上端面と固定的に連結され、前記リードスクリューと前記連結板との間には捻りばねが連結され、前記保温部には前記外スライド溝に連通している制御溝が設置され、前記制御溝の内壁にはスライド溝が設置され、前記スライド溝の中にはスライドリングが上下にスライドできるように設置され、前記スライドリングの上側端面と前記スライド溝の上側内壁との間には押圧ばねが連結され、前記スライドリングの片側端面には前記制御溝の中でスライドできる制御ブロックが連結され、前記制御ブロックの下側端面には上歯が設置され、前記旋転リングの上側端面には前記上歯と当接している下歯が設置され、前記旋転リングを握って回転させ、前記押出板を押し動かして上昇させた後、前記上歯と前記下歯とが当接して前記旋転リングに位置を保持させ、復帰する時に、前記制御ブロックを上へ持ち上げ、前記押出板が前記捻りばねの作用のもとで復帰する。
【０００８】
好ましくは、前記冷却部の外周面の上側にはネジ山が設置され、前記ネジ山には蓋がネジ山により係合される。
【発明の効果】
【０００９】
以上により、本発明は構成が簡単で、使用が便利で、温度が比較的に低い水を飲もうとする時、本発明の中の指定位置を回転させればお湯を快速に冷却することができ、飲める温度に達し、魔法瓶を使って水を飲む時の待つ時間を大幅に減少し、コップの実用性を高める。
【図面の簡単な説明】
【００１０】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１１】
【図１】図１は本発明の多目的コップの全体構成模式図である；
【図２】図２は図１の中のＡ−Ａの構成模式図である；
【図３】図３は図１の中のＢの構成模式図である；
【図４】図４は図１の中のＣの構成模式図である；
【図５】図５は図１の中のＤの構成模式図である。
【発明を実施するための形態】
【００１２】
以下は付図説明と実施例を交えて本発明について更に説明し、本発明の方式は以下の実施例を含むが、これのみに限定されるものではない。    
【００１３】
図１〜５が示すように、本発明装置の多目的コップは、保温部２１及び冷却部２５を含み、前記冷却部２５の中には加水チャンバ２６が設置され、前記保温部２１の中には保温チャンバ２０が設置され、前記加水チャンバ２６と前記保温チャンバ２０との間が加水管１９により連通しており、使用する時にお湯を前記加水チャンバ２６により前記保温チャンバ２０の中に入れて保温を行い、前記保温部２１の中にはリードスクリュー１８が回転できるように設置され、前記保温チャンバ２０の内壁の間には押出板５１がスライドできるように設置され、前記押出板５１が前記リードスクリュー１８とネジ山により係合され、前記リードスクリュー１８が回転して前記押出板５１を連動させて上昇させる時に前記保温チャンバ２０の中の前記お湯を押し、前記冷却部２５の中には冷却チャンバ１３が設置され、前記冷却チャンバ１３の中には連結箱４８が設置され、前記連結箱４８の中には前記保温チャンバ２０に連通している連結チャンバ５０が設置され、前記連結チャンバ５０の内壁にはスライドレール４６が設置され、前記スライドレール４６の中には活動板４４がスライドできるように設置され、前記活動板４４と前記スライドレール４６の頂壁との間にはばね４５が連結され、前記連結チャンバ５０の頂壁には一方向吸気弁４９が設置され、前記連結チャンバ５０の後壁には逆止弁４７が設置され、前記冷却チャンバ１３の中には前記逆止弁４７と連通している冷却管１４が設置され、前記冷却チャンバ１３の内壁にはモータ２４が設置され、前記モータ２４には動力軸２３によりファン２２が連結され、前記押出板５１が上昇する時、前記お湯が活動板４４を上へ押圧し、前記逆止弁４７の上側まで押圧した時、前記お湯が前記逆止弁４７を通して前記冷却管１４の中に入り込み、前記モータ２４が起動して前記ファン２２を回転させて風を吹かせ、前記お湯を快速に冷却する。
【００１４】
有益的には、前記冷却チャンバ１３の内壁には複数組の通気孔１２が設置され、前記冷却部２５の中には空きチャンバ３８が設置され、前記空きチャンバ３８の中には水通し管３６が設置され、前記水通し管３６の中には前記冷却管１４に連通している水通しチャンバ３７が設置され、前記水通しチャンバ３７の内壁にはガイド溝４０が設置され、前記ガイド溝４０の中にはガイドブロック３９がスライドできるように設置され、前記ガイドブロック３９と前記ガイド溝４０の右壁との間には復帰ばね４１が連結され、前記水通しチャンバ３７の中には前記ガイドブロック３９と連結されるストロー４３がスライドできるように設置され、前記冷却部２５の右端面には収納溝４２が設置され、前記ストロー４３の右端が前記収納溝４２の中に伸びており、使用する時に需要に応じて前記ストロー４３を適合の長さまで引くことができる。
【００１５】
有益的には、前記保温部２１の外周面には外スライド溝５２が設置され、前記外スライド溝５２の中には旋転リング１５がスライドできるように設置され、前記旋転リング１５の下端面には連結リング５３が連結され、前記連結リング５３の下端には連結板１６が連結され、前記リードスクリュー１８の下端が前記保温チャンバ２０の下側に伸びており、且つ前記リードスクリュー１８の下端が前記連結板１６の上端面と固定的に連結され、前記リードスクリュー１８と前記連結板１６との間には捻りばね１７が連結され、前記保温部２１には前記外スライド溝５２に連通している制御溝２７が設置され、前記制御溝２７の内壁にはスライド溝３４が設置され、前記スライド溝３４の中にはスライドリング３３が上下にスライドできるように設置され、前記スライドリング３３の上側端面と前記スライド溝３４の上側内壁との間には押圧ばね３５が連結され、前記スライドリング３３の片側端面には前記制御溝２７の中でスライドできる制御ブロック２８が連結され、前記制御ブロック２８の下側端面には上歯３０が設置され、前記旋転リング１５の上側端面には前記上歯３０と当接している下歯３２が設置され、前記旋転リング１５を握って回転させ、前記押出板５１を押し動かして上昇させた後、前記上歯３０と前記下歯３２とが当接して前記旋転リング１５に位置を保持させ、復帰する時に、前記制御ブロック２８を上へ持ち上げ、前記押出板５１が前記捻りばね１７の作用のもとで復帰する。
【００１６】
有益的には、前記冷却部２５の外周面の上側にはネジ山１１が設置され、前記ネジ山１１には蓋１０がネジ山により係合される。
【００１７】
前記多目的コップの実現方法は、以下のステップを含む：
【００１８】
使用する時、お湯を加水チャンバ２６の中に加え、前記お湯が加水管１９により保温チャンバ２０の中に入って保温を行い、前記お湯を飲もうとする時、旋転リング１５を握って回転させ、旋転リング１５が連結リング５３と連結板１６によりリードスクリュー１８を連動させて回転させ、リードスクリュー１８が回転して押出板５１を上昇させ、押出板５１が上昇して前記お湯により活動板４４を上へ押し、活動板４４が逆止弁４７の上側まで運動した時、前記お湯が逆止弁４７を通して冷却管１４の中に入り込み、モータ２４が起動して動力軸２３によりファン２２を連動させて回転させて風を吹かせ、冷却管１４の中の前記お湯を快速に冷却し、この時、ストロー４３を需要に応じて適合の長さまで引いて前記お湯を飲むことができ、空気が一方向吸気弁４９と逆止弁４７を通して冷却管１４の中に入って気圧を保持し、活動板４４がばね４５の作用のもとで復帰する；
【００１９】
押出板５１が一番上側に運動した時、保温チャンバ２０の中の水量が足りなく、この時に制御ブロック２８を上へスライドさせ、上歯３０を連動させて下歯３２から離脱させ、捻りばね１７の復帰作用のもとでリードスクリュー１８が回転して押出板５１を復帰させ、この時、蓋１０を外したら前記お湯を入れることができる。
【００２０】
以上により、本発明は構成が簡単で、使用が便利で、温度が比較的に低い水を飲もうとする時、本発明の中の指定位置を回転させればお湯を快速に冷却することができ、飲める温度に達し、魔法瓶を使って水を飲む時の待つ時間を大幅に減少し、コップの実用性を高める。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。